【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
圧縮機ステータにおける可変段静翼をロックするためのロックリンク（６８、７８、８４、９０）であって、
一方の縁部に形成された溝（６６、７４、７６、８２）と、反対側の縁部から離れる方向に延びる狭幅の首部（３８、４８、５２、７０、７２、８０、８９、９２）とを有する実質的に平板状の本体部（３６、８８、９４）であって、前記狭幅の首部（３８、４８、５２、７０、７２、８０、８９、９２）が、隣接するロックリンク（６８、７８、８４、９０）における前記溝（６６、７４、７６、８２）のうちの対応する１つの溝（６６、７４、７６、８２）内に着座するようになされる、前記実質的に平板状の本体部（３６、８８、９４）と、前記実質的に平板状の本体部（３６、８８、９４）における異形の開口と、少なくとも１つの内側に突出するロードタブ（４０、４６、５０、８６、１００）と、を備え、
前記少なくとも１つの内側に突出するロードタブ（４０、４６、５０、８６、１００）は、前記ロックリンク（６８、７８、８４、９０）に封止され、前記ロックリンク（６８、７８、８４、９０）に半径方向外側に負荷をかける圧縮機ケース面に対して押すように構成される、
ロックリンク（６８、７８、８４、９０）。
【請求項２】
前記内側に突出するロードタブ（４０、４６、５０、８６、１００）が、前記狭幅の首部（３８、４８、５２、７０、７２、８０、８９、９２）の先端部に位置する、請求項１に記載のロックリンク（６８、７８、８４、９０）。
【請求項３】
前記ロードタブ（４０、４６、５０、８６、１００）がリベット（４２）を備え、
前記ロードタブ（４０、４６、５０、８６、１００）が前記狭幅の首部（３８、４８、５２、７０、７２、８０、８９、９２）に溶接され、
前記ロードタブ（４０、４６、５０、８６、１００）が、前記狭幅の首部（３８、４８、５２、７０、７２、８０、８９、９２）の一体の湾曲した端部を備える、請求項２に記載のロックリンク（６８、７８、８４、９０）。
【請求項４】
前記径方向内側に突出するロードタブ（４０、４６、５０、８６、１００）が、前記実質的に平板状の本体部（３６、８８、９４）の側縁部に沿って設けられる、請求項１乃至３のいずれかに記載のロックリンク（６８、７８、８４、９０）。
【請求項５】
前記異形の開口が実質的にＤ字形状である、請求項１乃至３のいずれかに記載のロックリンク（６８、７８、８４、９０）。
【請求項６】
前記溝（６６、７４、７６、８２）は、隣接するロックリンク（６８、７８、８４、９０）の前記狭幅の首部（３８、４８、５２、７０、７２、８０、８９、９２）が前記溝（６６、７４、７６、８２）の前記下側に係合するように上面で閉鎖され、
ロードタブ（４０、４６、５０、８６、１００）が、実質的に前記本体部（３６、８８、９４）と前記狭幅の首部（３８、４８、５２、７０、７２、８０、８９、９２）との境界部において、前記ロックリンク（６８、７８、８４、９０）の下面に設けられる、請求項１乃至５のいずれかに記載のロックリンク（６８、７８、８４、９０）。
【請求項７】
半径方向で内側の面と半径方向で外側の面とを有する圧縮機ケース（２４）を備える圧縮機と、
ロータを介して前記圧縮機に動作可能に接続されたタービンあって、前記圧縮機が複数の段を備え、それらの段の少なくとも一部が、圧縮機ケース（２４）に取り付けられた可変静翼のそれぞれの列を備え、前記可変静翼セクションが、前記圧縮機ケース（２４）の前記内側の面に近接する半径方向で外側の端部を有する複数の翼部を備え、可変静翼の前記それぞれの列の少なくとも１つには、前記圧縮機ケース（２４）の前記外側の面上に封止され、全ての前記可変静翼を各可変静翼の軸の周りで回転しないようにロックするためのロックリンク（６８、７８、８４、９０）が設けられ、各ロックリンク（６８、７８、８４、９０）が、一方の縁部に形成された溝（６６、７４、７６、８２）と、反対側の縁部から離れる方向に延びる狭幅の首部（３８、４８、５２、７０、７２、８０、８９、９２）とを有する実質的に平板状の本体部（３６、８８、９４）であって、前記狭幅の首部（３８、４８、５２、７０、７２、８０、８９、９２）が、隣接するロックリンク（６８、７８、８４、９０）における前記溝（６６、７４、７６、８２）のうちの対応する１つの溝（６６、７４、７６、８２）内に着座する、前記実質的に平板状の本体部（３６、８８、９４）と、それぞれの静翼の相補的な形状のステム（３０、９８）を覆うようにして収容する実質的に平板状の本体部（３６、８８、９４）における異形の開口とを備える、タービンと、
を備え、
前記狭幅の首部（３８、４８、５２、７０、７２、８０、８９、９２）は、前記ロックリンク（６８、７８、８４、９０）に封止され、前記ロックリンク（６８、７８、８４、９０）に半径方向外側に負荷をかける圧縮機ケース面に対して押すように構成される少なくとも１つの内側に突出するロードタブ（４０、４６、５０、８６、１００）を備える、
タービンシステム。
【請求項８】
前記狭幅の首部（３８、４８、５２、７０、７２、８０、８９、９２）には、その先端部に少なくとも１つの径方向内側に突出するロードタブ（４０、４６、５０、８６、１００）が設けられる、請求項７に記載のタービンシステム。
【請求項９】
前記ロードタブ（４０、４６、５０、８６、１００）が前記狭幅の首部（３８、４８、５２、７０、７２、８０、８９、９２）に溶接され、
前記ロードタブ（４０、４６、５０、８６、１００）が、リベット（４２）と、前記狭幅の首部（３８、４８、５２、７０、７２、８０、８９、９２）の一体の湾曲した端部を備える、請求項８に記載のタービンシステム。
【請求項１０】
径方向内側に突出するロードタブ（４０、４６、５０、８６、１００）が、前記実質的に平板状の本体部（３６、８８、９４）の側縁部に沿って設けられ、
前記異形の開口が実質的にＤ字形状である、請求項８に記載のタービンシステム。
【請求項１１】
前記溝（６６、７４、７６、８２）は、隣接するロックリンク（６８、７８、８４、９０）の前記狭幅の首部（３８、４８、５２、７０、７２、８０、８９、９２）が前記溝（６６、７４、７６、８２）の前記下側に係合するように上面で閉鎖され、
ロードタブ（４０、４６、５０、８６、１００）が、前記本体部（３６、８８、９４）と前記狭幅の首部（３８、４８、５２、７０、７２、８０、８９、９２）との境界部において、前記ロックリンク（６８、７８、８４、９０）の下面に設けられる、請求項８に記載のタービンシステム。
【請求項１２】
各ロックリンク（６８、７８、８４、９０）が、前記圧縮機ケース（２４）の外側に、前記相補的な形状のそれぞれのステム（３０、９８）に固定される、請求項７乃至１１のいずれかに記載のタービンシステム。
【請求項１３】
圧縮機ケース（２４）に取り付けられた可変静翼の少なくとも１つの列であって、前記可変静翼の各々は、前記圧縮機ケース（２４）の半径方向で内側の面に近接する端部を備える翼部を有し、前記静翼が圧縮機ケース（２４）の半径方向で外側の面を半径方向で越えて、前記圧縮機ケース（２４）を通って突出する径方向外向きのステム（３０、９８）を有し、前記ステム（３０、９８）には全ての可変静翼を回転しないようにロックするための複数のロックリンク（６８、７８、８４、９０）が設けられ、前記複数のロックリンク（６８、７８、８４、９０）は、前記圧縮機ケース（２４）の前記外側の面上に封止され、各ロックリンク（６８、７８、８４、９０）には、一方の縁部に形成された溝（６６、７４、７６、８２）と、反対側の縁部から離れる方向に延びる狭幅の首部（３８、４８、５２、７０、７２、８０、８９、９２）とを有する実質的に平板状の本体部（３６、８８、９４）であって、前記狭幅の首部（３８、４８、５２、７０、７２、８０、８９、９２）が、隣接するロックリンク（６８、７８、８４、９０）における前記溝（６６、７４、７６、８２）のうちの対応する１つの溝（６６、７４、７６、８２）内に着座する、前記実質的に平板状の本体部（３６、８８、９４）と、それぞれの前記ステムを収容する前記実質的に平板状の本体部（３６、８８、９４）における異形の開口であって、前記異形の開口および前記ステムがそれらの相対回転を防止する形状とされる、前記異形の開口と、前記圧縮機ケース（２４）の前記外側の面を支持し、それぞれの静翼または隣接する静翼を前記圧縮機ケース（２４）に向けて、に半径方向外側に負荷をかけるようになされたロックリンク（６８、７８、８４、９０）上のロードタブ（４０、４６、５０、８６、１００）と、が設けられる、可変静翼の少なくとも１つの列
を備える圧縮機ステータ。